【手続補正書】
【提出日】平成19年8月9日(2007.8.9)
【手続補正１】
【補正対象書類名】特許請求の範囲
【補正対象項目名】全文
【補正方法】変更
【補正の内容】
【特許請求の範囲】
【請求項１】
ストリーム上に配列される複数のピクチャーユニットと複数のパラメータセットユニットを含む符号化ストリームを生成する方法において、
前記ピクチャーユニットは、各々、ヘッダー情報、画像圧縮データ及び参照先ユニット情報を含み、
前記パラメータセットユニットは、各々、ヘッダー情報、そして少なくともプロファイルと、前記画像圧縮データのデコードのためにピクチャーユニットによって参照されるコーディングモードを含み、
前記符号化ストリームを前記複数の情報ユニットに分離し、前記ピクチャーユニットと前記パラメータセットユニットを含むパックを定義し、
前記パックユニット内のピクチャーユニットであって高速再生が実行されるときの基準データとしてデコードされる第１のピクチャーユニットに対して第１の優先度を割り当て、
前記パックユニット内のピクチャーユニットであって高速再生が実行されるときの参照データとしてデコードされる第２のピクチャーユニットに対して前記第１の優先度よりも優先度が低い第２の優先度を割り当て、
ていることを特徴とする符号化ストリーム生成方法。
【請求項２】
請求項１において、
前記パックユニット内のピクチャーユニットであって高速再生が実行されるとき復号されない第３のピクチャーユニットに対して前記第２の優先度よりも優先度が低い第３の優先度を割り当て、
前記パックユニット内のピクチャーユニットであって高速再生が実行されるとき他のピクチャーユニットから参照されない第４のピクチャーユニットに対して前記第３の優先度よりも優先度が低い第４の優先度を割り当て
ていることを特徴とする符号化ストリーム生成方法。
【請求項３】
ストリーム上に配列される複数のピクチャーユニットと複数のパラメータセットユニットを含む符号化ストリームを生成する方法において、
前記ピクチャーユニットは、各々、ヘッダー情報、画像圧縮データ及び参照先ユニット情報を含み、
前記パラメータセットユニットは、各々、ヘッダー情報と、プロファイル、及び前記画像圧縮データのデコードのためにピクチャーユニットによって参照される符号化モードの少なくとも一方とを含み、
前記符号化ストリームを前記複数の情報ユニットに分離して、前記ピクチャーユニットと前記パラメータセットユニットとを含むパックユニットを定義し、
前記パックユニット内のピクチャーユニットであって高速再生が実行されるときの基準データとしてデコードされる第１のピクチャーユニットに対して第１の優先度を割り当て、
前記パックユニット内のピクチャーユニットであって高速再生が実行されるときの参照データとしてデコードされる第２のピクチャーユニットに対して前記第１の優先度よりも優先度が低い第２の優先度を割り当て、
前記パックユニット内のピクチャーユニットであって高速再生が実行されるとき復号されない第３のピクチャーユニットに対して前記第２の優先度よりも優先度が低い第３の優先度を割り当て、
前記パックユニット内のピクチャーユニットであって他のピクチャーユニットから参照されない第４のピクチャーユニットに対して前記第３の優先度よりも優先度が低い第４の優先度を割り当て、
ていることを特徴とする符号化ストリーム生成方法。
【請求項４】
請求項３において、第１から第４の優先度の情報は、各ピクチャーユニットのヘッダー情報に含まれることを特徴とする符号化ストリーム生成方法。
【請求項５】
ストリーム上に配列される複数のピクチャーユニットと複数のパラメータセットユニットを含む符号化ストリームを生成する装置において、
前記ピクチャーユニットは、各々、ヘッダー情報、画像圧縮データ及び参照先ユニット情報を含み、
前記パラメータセットユニットは、各々、ヘッダー情報と、プロファイル、及び前記画像圧縮データのデコードのためにピクチャーユニットによって参照される符号化モードの少なくとも一方とを含み、
前記装置は、
前記符号化ストリームを前記複数の情報ユニットに分離して、前記ピクチャーユニットと前記パラメータセットユニットを含むパックユニットを定義したパック設定部と、
前記パックユニット内のピクチャーユニットにデコード順としての優先順位を割り当てる管理部であって、
前記パックユニット内のピクチャーユニットであって高速再生が実行されるときの基準データとしてデコードされる第１のピクチャーユニットに対して第１の優先度を割り当て、
前記パックユニット内のピクチャーユニットであって高速再生が実行されるときの参照データとしてデコードされる第２のピクチャーユニットに対して前記第１の優先度よりも優先度が低い第２の優先度を割り当て、
前記パックユニット内のピクチャーユニットであって高速再生が実行されるとき復号されない第３のピクチャーユニットに対して前記第２の優先度よりも優先度が低い第３の優先度を割り当て、
前記パックユニット内のピクチャーユニットであって他のピクチャーユニットから参照されない第４のピクチャーユニットに対して前記第３の優先度よりも優先度が低い第４の優先度を割り当てるピクチャーユニット管理部と、
を有したことを特徴とする動画像符号化装置。
【請求項６】
請求項５において、前記ピクチャーユニット管理部は、第１から第４の優先度の情報を各ピクチャーユニットのヘッダー情報に含ませることを特徴とする動画像符号化装置。
【請求項７】
ストリーム上に配列される複数のピクチャーユニットと複数のパラメータセットユニットを含む符号化ストリームを生成する方法において、
前記ピクチャーユニットは、各々、ヘッダー情報、画像圧縮データ及び参照先ユニット情報を含み、
前記パラメータセットユニットは、各々、ヘッダー情報と、プロファイル、及び前記画像圧縮データのデコードのためにピクチャーユニットによって参照される符号化モードの少なくとも一方とを含み、
前記符号化ストリームを前記複数の情報ユニットに分離して、前記ピクチャーユニットと前記パラメータセットユニットを含むパックユニットを定義し、
前記パックユニット内のピクチャーユニットであって高速再生が実行されるときの基準データとしてデコードされる第１のピクチャーユニットに対して第１の優先度を割り当て、
前記パックユニット内のピクチャーユニットであって高速再生が実行されるときの参照データとしてデコードされる第２のピクチャーユニットに対して前記第１の優先度よりも優先度が低い第２の優先度を割り当て、
前記パックユニット内のピクチャーユニットであって高速再生が実行されるとき復号されない第３のピクチャーユニットに対して前記第２の優先度よりも優先度が低い第３の優先度を割り当て、
前記パックユニット内のピクチャーユニットであって他のピクチャーユニットから参照されない第４のピクチャーユニットに対して前記第３の優先度よりも優先度が低い第４の優先度を割り当て、
さらに前記第１のピクチャーユニットがパラメータセットユニットに関連されている、
ことを特徴とする符号化ストリーム生成方法。
【請求項８】
請求項７において、第２の優先度が割り当てられたピクチャーユニットが、前記パラメータセットユニットに関連されていることを特徴とする符号化ストリーム生成方法。
【請求項９】
ストリーム上に配列される複数のピクチャーユニットと複数のパラメータセットユニットを含む符号化ストリームを生成する装置において、
前記ピクチャーユニットは、各々、ヘッダー情報、画像圧縮データ及び参照先ユニット情報を含み、
前記パラメータセットユニットは、各々、ヘッダー情報と、プロファイル、及び前記画像圧縮データのデコードのためにピクチャーユニットによって参照される符号化モードとを含み、
前記装置は、
前記符号化ストリームを前記複数の情報ユニットに分離して、前記ピクチャーユニットと前記パラメータセットユニットを含むパックユニットを定義したパック設定部と、
前記パックユニット内のピクチャーユニットにデコード順としての優先順位を割り当てる管理部であって、
前記パックユニット内のピクチャーユニットであって高速再生が実行されるときの基準データとしてデコードされる第１のピクチャーユニットに対して第１の優先度を割り当て、
前記パックユニット内のピクチャーユニットであって高速再生が実行されるときの参照データとしてデコードされる第２のピクチャーユニットに対して前記第１の優先度よりも優先度が低い第２の優先度を割り当て、
前記パックユニット内のピクチャーユニットであって高速再生が実行されるとき復号されない第３のピクチャーユニットに対して前記第２の優先度よりも優先度が低い第３の優先度を割り当て、
前記パックユニット内のピクチャーユニットであって他のピクチャーユニットから参照されない第４のピクチャーユニットに対して前記第３の優先度よりも優先度が低い第４の優先度を割り当てるピクチャーユニット管理部と、
第１のピクチャーユニットとパラメータセットユニットとを関連つけるパラメータセットユニット管理部と、
を有したことを特徴とする動画像符号化装置。
【請求項１０】
請求項９において、前記パラメータセットユニット管理部は、第２の優先度が割り当てられたピクチャーユニットとパラメータセットユニットとを関連つけることを特徴とする動画像符号化装置。
【請求項１１】
ストリーム上に配列される複数のピクチャーユニットと複数のパラメータセットユニットを含む符号化ストリームを生成する方法において、
前記ピクチャーユニットは、各々、ヘッダー情報、画像圧縮データ及び参照先ユニット情報を含み、
前記パラメータセットユニットは、各々、ヘッダー情報と、プロファイル、及び前記画像圧縮データのデコードのためにピクチャーユニットによって参照される符号化モードの少なくとも一方とを含み、
前記符号化ストリームを前記複数の情報ユニットに分離して、前記ピクチャーユニットと前記パラメータセットユニットを含むパックユニットを定義し、
前記パックユニット内のピクチャーユニットであって高速再生が実行されるときの基準データとしてデコードされる第１のピクチャーユニットに対して第１の優先度を割り当て、
前記パックユニット内のピクチャーユニットであって高速再生が実行されるときの参照データとしてデコードされる第２のピクチャーユニットに対して前記第１の優先度よりも優先度が低い第２の優先度を割り当て、
前記パックユニット内のピクチャーユニットであって高速再生が実行されるとき復号されない第３のピクチャーユニットに対して前記第２の優先度よりも優先度が低い第３の優先度を割り当て、
前記パックユニット内のピクチャーユニットであって他のピクチャーユニットから参照されない第４のピクチャーユニットに対して前記第３の優先度よりも優先度が低い第４の優先度を割り当て、
さらに前記ピクチャーユニットは、自身の優先度よりも優先度が低い他のピクチャーユニットを参照しないように設定される、
ことを特徴とする符号化ストリーム生成方法。
【請求項１２】
請求項１１において、前記ピクチャーユニットは、自身の優先度よりも優先度が低い他のピクチャーユニットが参照するパラメータセットユニットを参照しないように設定される、
ことを特徴とする符号化ストリーム生成方法。
【請求項１３】
ストリーム上に配列される複数のピクチャーユニットと複数のパラメータセットユニットを含む符号化ストリームを生成する装置において、
前記ピクチャーユニットは、各々、ヘッダー情報、画像圧縮データ及び参照先ユニット情報を含み、
前記パラメータセットユニットは、各々、ヘッダー情報と、プロファイル、及び前記画像圧縮データのデコードのためにピクチャーユニットによって参照される符号化モードの少なくとも一方とを含み、
前記装置は、
前記符号化ストリームを前記複数の情報ユニットに分離して、前記ピクチャーユニットと前記パラメータセットユニットを含むパックユニットを定義したパック設定部と、
前記パックユニット内のピクチャーユニットにデコード順としての優先順位を割り当てる管理部であって、
前記パックユニット内のピクチャーユニットであって高速再生が実行されるときの基準データとしてデコードされる第１のピクチャーユニットに対して第１の優先度を割り当て、
前記パックユニット内のピクチャーユニットであって高速再生が実行されるときの参照データとしてデコードされる第２のピクチャーユニットに対して前記第１の優先度よりも優先度が低い第２の優先度を割り当て、
前記パックユニット内のピクチャーユニットであって高速再生が実行されるとき復号されない第３のピクチャーユニットに対して前記第２の優先度よりも優先度が低い第３の優先度を割り当て、
前記パックユニット内のピクチャーユニットであって他のピクチャーユニットから参照されない第４のピクチャーユニットに対して前記第３の優先度よりも優先度が低い第４の優先度を割り当てるピクチャーユニット管理部を有し、
さらに前記ピクチャーユニット管理部は、
前記ピクチャーユニットが自身の優先度よりも優先度が低い他のピクチャーユニットを参照しないように、上記優先度を割り当てる、
ことを特徴とする動画像符号化装置。
【請求項１４】
請求項１３において、前記ピクチャーユニット管理部は、前記ピクチャーユニットが自身の優先度よりも優先度が低い他のピクチャーユニットが参照するパラメータセットユニットを参照しないように、上記優先度を割り当てる、
ことを特徴とする動画像符号化装置。
【請求項１５】
ストリーム上に配列される複数のピクチャーユニットと複数のパラメータセットユニットを含む符号化ストリームを受信してデコードする装置において、
前記ピクチャーユニットは、各々、ヘッダー情報、画像圧縮データ及び参照先ユニット情報を含み、
前記パラメータセットユニットは、各々、ヘッダー情報と、プロファイル、及び前記画像圧縮データのデコードのためにピクチャーユニットによって参照される符号化モードの少なくとも一方とを含み、
前記符号化ストリームを前記複数の情報ユニットに分離して、前記ピクチャーユニットと前記パラメータセットユニットを含むパックユニットを定義しており、
前記パックユニット内のピクチャーユニットであって高速再生が実行されるときの基準データとしてデコードされる第１のピクチャーユニットに対して第１の優先度を割り当てられており、
前記パックユニット内のピクチャーユニットであって高速再生が実行されるときの参照データとしてデコードされる第２のピクチャーユニットに対して前記第１の優先度よりも優先度が低い第２の優先度を割り当てられており、
前記パックユニット内のピクチャーユニットであって高速再生が実行されるとき復号されない第３のピクチャーユニットに対して前記第２の優先度よりも優先度が低い第３の優先度を割り当てられており、
前記パックユニット内のピクチャーユニットであって他のピクチャーユニットから参照されない第４のピクチャーユニットに対して前記第３の優先度よりも優先度が低い第４の優先度を割り当てられており、
前記符号化ストリームをデコードするデコーダ部と、
前記符号化ストリームからピクチャーユニットを検出して、前記デコーダ部に供給するピクチャーユニット管理部と、
符号化ストリームからパラメータセットを検出して、前記デコーダ部のパラメータセット部に設定するパラメータセット解析部と、
符号化ストリームのパックユニット境界を検出し、ピクチャーユニットを検出し、パックユニット内のピクチャーユニットの参照先ユニット情報の系列マップを生成し、各ピクチャーユニットの参照ユニット情報に優先度をつける参照先ユニット番号系列マップ成生部を有した、
ことを特徴とする動画像復号化装置。
【請求項１６】
請求項１５において、高速再生コマンドが入力されたとき、前記デコーダ部は、前記参照ユニット系列マップを参照し、第１の優先度と第２の優先度が割り当てられたピクチャーユニットのみの画像データデコードすることを特徴とする動画像復号化装置。
【請求項１７】
請求項１５において、前記第１から第４の優先度は各ピクチャーユニットのヘッダー情報に含まれることを特徴とする動画像復号化装置。
【請求項１８】
ストリーム上に配列される複数のピクチャーユニットと複数のパラメータセットユニットを含む符号化ストリームを受信してデコードする装置において、
前記ピクチャーユニットは、各々、ヘッダー情報、画像圧縮データ及び参照先ユニット情報を含み、
前記パラメータセットユニットは、各々、ヘッダー情報と、プロファイルと、及び前記画像圧縮データのデコードのためにピクチャーユニットによって参照される符号化モードの少なくとも一方とを含み、
前記符号化ストリームを前記複数の情報ユニットに分離して、前記ピクチャーユニットと前記パラメータセットユニットを含むパックユニットを定義しており、
前記パックユニット内のピクチャーユニットであって高速再生が実行されるときの基準データとしてデコードされる第１のピクチャーユニットに対して第１の優先度を割り当てられており、
前記パックユニット内のピクチャーユニットであって高速再生が実行されるときの参照データとしてデコードされる第２のピクチャーユニットに対して前記第１の優先度よりも優先度が低い第２の優先度を割り当てられており、
前記パックユニット内のピクチャーユニットであって高速再生が実行されるとき復号されない第３のピクチャーユニットに対して前記第２の優先度よりも優先度が低い第３の優先度を割り当てられており、
前記パックユニット内のピクチャーユニットであって他のピクチャーユニットから参照されない第４のピクチャーユニットに対して前記第３の優先度よりも優先度が低い第４の優先度を割り当てられており、
さらに前記パックユニット内のピクチャーユニットはパラメータセットユニットに関連付けされており、
前記符号化ストリームをデコードするデコーダ部と、
前記符号化ストリームからピクチャーユニットを検出して、前記デコーダ部に供給するピクチャーユニット管理部と、
符号化ストリームからパラメータセットを検出して、前記デコーダ部のパラメータセット部に設定するパラメータセット解析部と、
符号化ストリームのパックユニット境界を検出し、ピクチャーユニットを検出し、パックユニット内のピクチャーユニットの参照先ユニット情報の系列マップを生成し、各ピクチャーユニットの参照ユニット情報に優先度をつける参照先ユニット番号系列マップ成生部を有した、
ことを特徴とする動画像復号化装置。
【請求項１９】
請求項１８において、第２の優先度が割り当てられたピクチャーユニットは、パラメータセットユニットに関連付けされていることを特徴とする動画像復号化装置。
【請求項２０】
ストリーム上に配列される複数のピクチャーユニットと複数のパラメータセットユニットを含む符号化ストリームを受信してデコードする装置において、
前記ピクチャーユニットは、各々、ヘッダー情報、画像圧縮データ及び参照先ユニット情報を含み、
前記パラメータセットユニットは、各々、ヘッダー情報と、プロファイル、及び前記画像圧縮データのデコードのためにピクチャーユニットによって参照される符号化モードの少なくとも一方とを含み、
前記符号化ストリームを前記複数の情報ユニットに分離して、前記ピクチャーユニットと前記パラメータセットユニットを含むパックユニットを定義しており、
前記パックユニット内のピクチャーユニットであって高速再生が実行されるときの基準データとしてデコードされる第１のピクチャーユニットに対して第１の優先度を割り当てられており、
前記パックユニット内のピクチャーユニットであって高速再生が実行されるときの参照データとしてデコードされる第２のピクチャーユニットに対して前記第１の優先度よりも優先度が低い第２の優先度を割り当てられており、
前記パックユニット内のピクチャーユニットであって高速再生が実行されるとき復号されない第３のピクチャーユニットに対して前記第２の優先度よりも優先度が低い第３の優先度を割り当てられており、
前記パックユニット内のピクチャーユニットであって他のピクチャーユニットから参照されない第４のピクチャーユニットに対して前記第３の優先度よりも優先度が低い第４の優先度を割り当てられており、
さらにさらに前記ピクチャーユニットは、自身の優先度よりも優先度が低い他のピクチャーユニットを参照しないように設定されており、
前記符号化ストリームをデコードするデコーダ部と、
前記符号化ストリームからピクチャーユニットを検出して、前記デコーダ部に供給するピクチャーユニット管理部と、
符号化ストリームからパラメータセットを検出して、前記デコーダ部のパラメータセット部に設定するパラメータセット解析部と、
符号化ストリームのパックユニット境界を検出し、ピクチャーユニットを検出し、パックユニット内のピクチャーユニットの参照先ユニット情報の系列マップを生成し、各ピクチャーユニットの参照ユニット情報に優先度をつける参照先ユニット番号系列マップ成生部を有した、
ことを特徴とする動画像復号化装置。
【請求項２１】
請求項２０において、前記ピクチャーユニットは、自身の優先度よりも優先度が低い他のピクチャーユニットが参照するパラメータセットユニットを参照しないように設定されていることを特徴とする動画像復号化装置。
【手続補正２】
【補正対象書類名】明細書
【補正対象項目名】００１４
【補正方法】変更
【補正の内容】
【００１４】
この発明に係る一実施例では、基本的にストリーム上に配列される複数のピクチャーユニットと複数のパラメータセットユニットを含む符号化ストリームを生成する方法において、前記ピクチャーユニットは、各々、ヘッダー情報、画像圧縮データ及び参照先ユニット情報を含み、前記パラメータセットユニットは、各々、ヘッダー情報、そして少なくともプロファイルと、前記画像圧縮データのデコードのためにピクチャーユニットによって参照されるコーディングモードを含み、前記符号化ストリームを前記複数の情報ユニットに分離し、前記ピクチャーユニットと前記パラメータセットユニットを含むパックを定義し、前記パックユニット内のピクチャーユニットであって高速再生が実行されるときの基準データとしてデコードされる第１のピクチャーユニットに対して第１の優先度を割り当て、前記パックユニット内のピクチャーユニットであって高速再生が実行されるときの参照データとしてデコードされる第２のピクチャーユニットに対して前記第１の優先度よりも優先度が低い第２の優先度を割り当て、前記パックユニット内のピクチャーユニットであって高速再生が実行されるとき復号されない第３のピクチャーユニットに対して前記第２の優先度よりも優先度が低い第３の優先度を割り当て、前記パックユニット内のピクチャーユニットであって他のピクチャーユニットから参照されない第４のピクチャーユニットに対して前記第３の優先度よりも優先度が低い第４の優先度を割り当てた符号化ストリームを生成及び処理している。